(57)【要約】【課題】残水が多量であっても短時間で冷水状態の残水を配管内冷水とともに排出することができ、構造が簡単で所要コストの安価な冷水排出装置を提供する。【解決手段】オーバーヘッドシャワー吐水部２２への給水のシャワー水通路５４から第１分岐通路６８を分岐させるとともに、第１分岐通路６８よりも下流部位から第２分岐通路７０を分岐させて、第１分岐通路６８の分岐部に、給水をオーバーヘッドシャワー吐水部２２又は第１分岐通路６８に切り替える切替弁７２を設けるとともに、第１分岐通路６８と第２分岐通路７０とを冷水排出弁８２に接続する。冷水排出弁８２は、第１分岐通路６８への給水を排出する第１排出通路７４を開く第１弁体と、第２分岐通路７０を通じて導かれるオーバーヘッドシャワー吐水部２２側に残った残水を排出する第２排出通路７６を開く第２弁体と、それら弁体を連動して開動作させる連結手段とを備えて構成する。【選択図】        図２
2008307251.tif 000002
【特許請求の範囲】
【請求項１】
吐水部への給水の主通路から第１分岐通路を分岐させるとともに、該第１分岐通路よりも下流部位から第２分岐通路を分岐させて、該第１分岐通路の分岐部に、給水を前記吐水部又は該第１分岐通路に切り替える切替弁を設けるとともに、該第１分岐通路と前記第２分岐通路とを冷水排出弁に接続し、
該冷水排出弁は、前記第１分岐通路への給水を排出する第１排出通路を該第１分岐通路の給水圧を受けて開く第１弁体と、前記第２分岐通路を通じて導かれる、前記吐水部側に残った残水を排出する第２排出通路を開く第２弁体と、それら第１弁体及び第２弁体を連動して開動作させる連結手段と、を備えていることを特徴とする吐水設備における冷水排出装置。
【請求項２】
請求項１において、前記冷水排出弁には、前記第２弁体を第１弁体とともに閉弁方向に付勢する付勢手段が設けてあることを特徴とする吐水設備における冷水排出装置。
【請求項３】
請求項１，２の何れかにおいて、前記第１弁体がダイヤフラム弁体となしてあることを特徴とする吐水設備における冷水排出装置。
【請求項４】
請求項１〜３の何れかにおいて、前記第１排出通路と第２排出通路とを途中で合流させて排出口に到るようになすとともに、該第１排出通路から第２排出通路への排出水の逆流防止機構を設けてあることを特徴とする吐水設備における冷水排出装置。
【請求項５】
請求項４において、前記逆流防止機構が、前記第１排出通路の排出水の流れにより、前記第２排出通路の該第１排出通路との合流口に負圧を発生させて、該負圧の作用で該第２排出通路の排出水を吸引し、該第１排出通路の排出水に合流させるものとなしてあることを特徴とする吐水設備における冷水排出装置。
【発明の詳細な説明】
【技術分野】
【０００１】
この発明は吐水設備における冷水排出装置に関し、詳しくはシャワー吐水部等の吐水部からの吐水の初期に冷水が吐水されてしまうのを防止することのできる冷水排出装置に関する。
【背景技術】
【０００２】
湯水の混合部で水（冷水）と湯（熱水）とを混合し、温調した湯を吐水部から吐水する吐水設備、特に湯水の混合部から長いシャワー水通路（給水の主通路）が延びていて、その先端部に接続されたシャワー吐水部からシャワー吐水するシャワー吐水設備においては、シャワー吐水部から温調した湯をシャワー吐水させようとしたときに、初期に冷水が吐水されてしまう問題がある。
【０００３】
この初期の冷水の吐水は、混合部より上流側の配管（給湯用配管）内で滞留している冷水（配管内冷水）が初期に吐水されること、また吐水設備を使用し終わった後にシャワー水通路やシャワー吐水部内部等に残った湯が冷水となって滞留し（残水）、初期に吐水されることによって起る現象である。
使用者がこのような冷水を誤って浴びてしまうと不快感を感じてしまう。
この問題を解決することを目的としたものが、例えば下記特許文献１，特許文献２に開示されている。
図８は特許文献１に開示されたものを具体的に示している。
【０００４】
図８において２００は湯水混合水栓、２０２は湯水の混合弁（混合部）を内蔵した水栓本体、２０４は吐水管（カラン）、２０６はシャワーホースで、その先端部に図示を省略したシャワーヘッド（シャワー吐水部）が接続されている。
２１０は、吐水管２０４からの吐水とシャワーヘッドからの吐水とを切替操作する切替ハンドルで、２１２は切替弁である。
２１４は、シャワーホース２０６と水栓本体２０２との間に設けられた冷水排出装置で、ケーシング２１６と吸引管２１８とを有している。
【０００５】
ケーシング２１６には排出口２２０が設けられており、またその内部には、排出口２２０を開閉するスプール弁体から成る弁体２２２、及び給水の温度に感応して軸方向に伸縮し、弁体２２２を駆動する感温体２２３が設けられている。
感温体２２３はワックスの膨張収縮を利用して軸方向に伸縮するサーモワックス式のものである。
尚図中２２４は、シャワーホース２０６とケーシング２１６との内部に形成されるシャワー水通路（主通路）を表している。
【０００６】
この図８に示す冷水排出装置２１４では、シャワーヘッドからシャワー吐水する際、シャワー水通路２２４内を流れる給水の温度が低いときには感温体２２３が収縮した状態にあって、図８（Ｂ）に示すように弁体２２２はスプリング２０８の上向きの付勢力によって排出孔２２０を開いた状態にあり、従って水栓本体２０２からシャワー水通路２２４内に送り出された給水は、ケーシング２１６の排出口２２０から外部に排出され、シャワーヘッドには供給されない。
即ち水栓本体２０２の上流側の配管内に滞留していた冷水は、シャワーヘッドからシャワー吐水されずに上流部位の排出口２２０から排出される。
【０００７】
このとき吸引管２１８に作用する負圧によって、シャワーホース２０６及びシャワーヘッド内に残っていた冷水状態の残水が、吸引管２１８を通じてシャワー水通路２２４側に吸引され、ケーシング２１６の排出口２２０から外部に排出される。
【０００８】
そしてシャワー水通路２２４内の給水の温度が適温の湯となったとき、図８（Ｃ）に示すように感温体２２３が伸長して弁体２２２が排出口２２０を閉じることで、送られて来た湯がシャワーホース２０６を通じてシャワーヘッドに供給され、そこからシャワー吐水される。
【０００９】
図９は特許文献２に開示されたものを示しており、図において２２６は湯水混合水栓、２２８は水栓本体で、この水栓本体２２８からシャワーホース２０６が延び出し、その先端部にシャワーヘッド２３０が接続されている。
この例においても、図８に示したものと同様にシャワー水通路上に冷水排出装置２３２が設けられている。
【００１０】
図１０は冷水排出装置２３２の内部構造を示している。
同図に示しているようにこの冷水排出装置２３２は、ケーシング２３４と、その内部に設けられた弁体２３６と、弁体２３６を図中右方向に付勢する形状記憶合金製の感温ばね２３８と、弁体２３６をこれとは逆方向の図中左方向に付勢するバイアスばね２４０と、シャワー水通路２２４を開閉するシャワー開閉弁２４２と、ボール弁２４４とを有している（図１０（Ａ））。
【００１１】
この図９及び図１０に示す冷水排出装置２３２では、シャワー水通路（主通路）２２４を通じてシャワーヘッド２３０側に送られて来た給水が冷水であるときには、感温ばね２３８の収縮により弁体２３６が開弁状態となって、排出口２２０から冷水（配管内冷水）が排出される。
尚このときシャワー開閉弁２４２は閉弁した状態にあり、またボール弁２４４は給水圧により閉弁した状態にあってシャワー水通路を途中で閉じており、従ってこのときにはシャワーヘッドに対し冷水は供給されない。
【００１２】
そして給水温度が上昇して所望温度の湯となったところで、感温ばね２３８が付勢力を高めて弁体２３６を閉弁させ（シャワー開閉弁２４２は開弁）、排出口２２０からの給水の排出を停止させる。従ってこのときにはシャワーヘッドに目的とする温度の湯が供給され、シャワーヘッド２３０からシャワー吐水される（図１０（Ｂ））。
【００１３】
その後シャワーヘッド２３０からのシャワー吐水を停止し、シャワーホース２０６及びシャワーヘッド２３０内部に残った残水が冷水となったところで、再び弁体２３６が開弁し、残水がボール弁２４４を押し開いて排出口２２０から排出される（図１０（Ｃ））。
【００１４】
しかしながら特許文献１に開示のものは、単一の排出通路，単一の弁体を用いて初期の配管内冷水とシャワーヘッド，シャワーホース側の残水とを同時に排出するようになしており、且つシャワーヘッド側の残水を細管の吸引管２１８を通じて負圧の作用で吸引して排出するようになしていることから、冷水の排出のために、特に残水が多い吐水設備の場合に長い時間を要してしまう。
【００１５】
またこの特許文献１に開示のものでは、感温体による給水の温度感知に基いて弁体を開閉駆動するようになしていることから、感温による冷水の排出と排出停止との切替えのための機構が複雑化し、所要コストも高くなってしまう。
更にシャワー水通路（主通路）２２４上に複雑な構造の弁機構を組み込むことによって、シャワー水通路２２４での流れの抵抗が大きくなり、このことがシャワーヘッドからの吐水圧の低下に繋がる恐れがある。
【００１６】
この点は、特許文献１と同様に給水の温度感知に基いて冷水の排出と排出停止とを、主通路であるシャワー水通路上で行うようになした特許文献２に開示のものにおいても基本的に同様である。
【００１７】
以上シャワー吐水部からシャワー吐水する際の問題点を述べたが、こうした問題はシャワー吐水部以外の吐水部から吐水を行うに際しても共通に生じ得る問題である。
【００１８】
【特許文献１】特開平３−１８３３２号公報
【特許文献２】特開２００４−２８３４５５号公報
【発明の開示】
【発明が解決しようとする課題】
【００１９】
本発明は以上のような事情を背景とし、残水が多量であっても短時間で冷水状態の残水を配管内冷水とともに排出することができ、しかも主通路上で冷水排出のための弁機構による流れの抵抗を生ぜしめない、構造が簡単で所要コストの安価な冷水排出装置を提供することを目的としてなされたものである。
【課題を解決するための手段】
【００２０】
而して請求項１のものは、吐水部への給水の主通路から第１分岐通路を分岐させるとともに、該第１分岐通路よりも下流部位から第２分岐通路を分岐させて、該第１分岐通路の分岐部に、給水を前記吐水部又は該第１分岐通路に切り替える切替弁を設けるとともに、該第１分岐通路と前記第２分岐通路とを冷水排出弁に接続し、該冷水排出弁は、前記第１分岐通路への給水を排出する第１排出通路を該第１分岐通路の給水圧を受けて開く第１弁体と、前記第２分岐通路を通じて導かれる、前記吐水部側に残った残水を排出する第２排出通路を開く第２弁体と、それら第１弁体及び第２弁体を連動して開動作させる連結手段と、を備えていることを特徴とする。
【００２１】
請求項２のものは、請求項１において、前記冷水排出弁には、前記第２弁体を第１弁体とともに閉弁方向に付勢する付勢手段が設けてあることを特徴とする。
【００２２】
請求項３のものは、請求項１，２の何れかにおいて、前記第１弁体がダイヤフラム弁体となしてあることを特徴とする。
【００２３】
請求項４のものは、請求項１〜３の何れかにおいて、前記第１排出通路と第２排出通路とを途中で合流させて排出口に到るようになすとともに、該第１排出通路から第２排出通路への排出水の逆流防止機構を設けてあることを特徴とする。
【００２４】
請求項５のものは、請求項４において、前記逆流防止機構が、前記第１排出通路の排出水の流れにより、前記第２排出通路の該第１排出通路との合流口に負圧を発生させて、該負圧の作用で該第２排出通路の排出水を吸引し、該第１排出通路の排出水に合流させるものとなしてあることを特徴とする。
【発明の作用・効果】
【００２５】
以上のように請求項１のものは、給水の主通路から第１分岐通路、その下流部位から第２分岐通路をそれぞれ分岐させて、第１分岐通路の分岐部に、給水を吐水部又は第１分岐通路に切り替える切替弁を設けるとともに、第１分岐通路と第２分岐通路とを冷水排出弁に接続し、そしてその冷水排出弁を、第１分岐通路への給水を排出する第１排出通路を第１分岐通路の給水圧を受けて開く第１弁体と、第２分岐通路を通じて導かれる、吐水部側に残った残水の排出通路を開く第２弁体と、それらを連動して開動作させる連結手段とを備えて構成したものである。
【００２６】
この請求項１の冷水排出装置によれば、上流側の配管内に滞留している配管内冷水と、吐水部側に残った冷水状態の残水とを、第１分岐通路及び第１排出通路と、第２分岐通路及び第２排出通路とを通じて同時に排出することができ、残水が多量に残るような吐水設備においても、冷水を短時間で速やかに排出することができる。
即ち吐水部から短時間で所望の温調された湯を吐水開始することができ、使用者の待ち時間を短くすることができる。
【００２７】
またこの請求項１のものでは、主通路上に冷水排出弁を設けるのでなく、主通路から第１分岐通路と第２分岐通路とを分岐させて、それら分岐部の接続側に冷水排出弁を設け、そして主通路上の切替弁による切替動作により冷水排出を行うようになしていることから、従来のように感温体を用いた複雑な切替機構を必要とせず、冷水排出装置の構造を簡素化し得、また所要コストを安価となすことができる。
更にこの請求項１では主通路上に冷水排出弁を設けていないため、主通路上でそこに設けた冷水排出弁により流れの抵抗が発生し、このことが吐水部からの吐水圧の低下に繋がる問題を回避することができる。
【００２８】
この請求項１ではまた、切替弁を吐水部側に切り替えることによって、吐水部側に供給された給水の水圧を第２弁体の閉弁方向の力として作用させることができる。
【００２９】
この場合において冷水排出弁には、第２弁体を第１弁体とともに閉弁方向に付勢する付勢手段を設けておくことができる（請求項２）。
このようにしておけば、給水を吐水部側に切り替えたときに、第２弁体をより強い力で閉弁させることができる。
ここで付勢手段としては金属ばね、特にコイルスプリングを好適に用いることができる。
【００３０】
本発明では、上記第１弁体をダイヤフラム弁体となしておくことができる（請求項３）。
このようにしておけば、第１分岐通路に導かれた給水の圧力を効果的に第１弁体で受け、給水の圧力を第１弁体及び第２弁体の開弁方向の力として作用させることができる。
【００３１】
次に請求項４は、上記の第１排出通路と第２排出通路とを途中で合流させて排出口に到るようになし、且つ第１排出通路から第２排出通路への排出水の逆流防止機構を設けたものである。
この逆流防止機構は次のような意味を有している。
即ち、第１排出通路には給水圧により多量の排出水が勢い良く流通する。そのため第１排出通路側の排出水が、第１排出通路と第２排出通路との合流部で第２排出通路側に逆流する恐れが生ずる。
しかるにこの請求項４に従って逆流防止機構を設けておくことで、こうした不都合を回避することができる。
【００３２】
この場合においてその逆流防止機構は、逆止弁にて構成することも可能であるが、請求項５に従ってその逆流防止機構を、第１排出通路の排出水の流れにより第２排出通路の合流口に負圧を発生させ、その負圧の作用で第２排出通路の排出水を吸引し、第１排出通路の排出水に合流させるものとなしておくことができる（請求項５）。
このようにすれば、特別に弁体を用いて逆流防止をしなくても、第１排出通路から第２排出通路側への逆流を有効に防止することができる。
また逆流防止機構を簡単な構造で安価に構成することが可能となる。
【発明を実施するための最良の形態】
【００３３】
次に本発明の実施形態を図面に基づいて詳しく説明する。
図１において、１０は本実施形態の吐水設備で、１２は上下に長く背の高いシャワー塔で、ここではシャワー塔１２は床面から約１９５０ｍｍの高さを有する。
このシャワー塔１２の下面には、先端に吐水口１４を有する吐水管（カラン）１６が回転可能に設けられている。
１８はシャワー塔１２における前面板で、その上端部に口径の大きなシャワー口２０を有するオーバーヘッドシャワー吐水部２２が設けられている。
【００３４】
またこのオーバーヘッドシャワー吐水部２２と下端の吐水管１６との間に、ボデーシャワー吐水部２４が設けられている。
このボデーシャワー吐水部２４は、前面板１８に縦に２列に配列されたシャワー口２６−１ａ，２６−１ｂ，２６−１ｃ，２６−１ｄ，２６−１ｅ，２６−１ｆ及び２６−２ａ，２６−２ｂ，２６−２ｃ，２６−２ｄ，２６−２ｅ，２６−２ｆの合計１２個のシャワー口を有している。
【００３５】
また側方にはシャワー口２８を有するハンドシャワー吐水部３０が備えられている。
ハンドシャワー吐水部３０にはシャワーホース３２が接続されており、またシャワー塔１２にはシャワーフック３４が設けられていて、そこにハンドシャワー吐水部３０が掛止されている。
ハンドシャワー吐水部３０は、シャワーフック３４に掛止した状態から取り外して使用可能である。
【００３６】
シャワー塔１２における前面板１８には、ボデーシャワー吐水部２４におけるシャワー口２６−１と２６−２との間の位置において、ハンドル３６，３８，４０，４２及び４４が縦一列に配設されている。
尚、各ハンドル３６，３８，４０，４２，４４は何れも回転式のハンドルである。
【００３７】
ここで最上位のハンドル３６は、オーバーヘッドシャワー吐水部２２からのシャワー吐水のオン・オフ用のものであり、またその下のハンドル３８は、ボデーシャワー吐水部２４からのシャワー吐水、詳しくはシャワー口２６−１ａ〜２６−２ｆからのシャワー吐水のオン・オフ用のものであり、更にその下側のハンドル４０は、ハンドシャワー吐水部３０からのシャワー吐水のオン・オフ用のものである。
尚各シャワー口２０，２６−１ａ〜２６−２ｆ，２８は何れも多数の散水孔から成っている。
【００３８】
一方その下側のハンドル４２は、水と湯との混合比率を変えることによって吐水の温度を調節する温調用（温度調節用）のハンドルであり、更に最下位のハンドル４４は、吐水管１６からの吐水のオン・オフ用のハンドルである。
尚最上位のハンドル３６は、後述する冷水排出のための切替弁を切り替えるためのハンドルも兼ねている。
【００３９】
図２において、４６は冷水供給用の給水通路で、４８は給湯器からの熱水供給用の給湯通路である。それぞれの通路上に止水栓５０が設けられている。
これら給水通路４６，給湯通路４８は混合弁５２に接続されており、給水通路４６，給湯通路４８を通じて送られた水と湯（熱水）とが混合弁５２で混合され、またその混合比率が変化せしめられる。即ちこの混合弁５２において吐水の温度が調節される。
【００４０】
５４は混合部５２からの給水をオーバーヘッドシャワー吐水部２２に導くシャワー水通路（主通路）で、このシャワー水通路５４から給水をボデーシャワー吐水部２４，ハンドシャワー吐水部３０に導く第２のシャワー水通路５６及び第３のシャワー水通路５８が分岐している。
【００４１】
第２のシャワー水通路５６は、ボデーシャワー吐水部２４における上記の多数のシャワー口２６−１ａ〜２６−２ａに接続され、また第３のシャワー水通路５８はハンドシャワー吐水部３０に接続されている。
そして第２のシャワー水通路５６上に、これを開閉する開閉弁６０が、また第３のシャワー水通路５８上に、これを開閉する開閉弁６２がそれぞれ設けられている。
ここで開閉弁６０は上記のハンドル３８の操作によって開閉動作させられ、また開閉弁６２はハンドル４０の操作によって開閉動作させられる。
【００４２】
第２のシャワー水通路５６は、分岐シャワー水通路５６-１と５６-２とに分岐させられており、そして分岐シャワー水通路５６-１が図中右側において縦一列に配列されたシャワー口２６-１ａ，２６-１ｂ，２６-１ｃ，２６-１ｄ，２６-１ｅ及び２６-１ｆに接続され、また分岐シャワー水通路５６-２が図中左側に一列に配列されたシャワー口２６-２ａ，２６-２ｂ，２６-２ｃ，２６-２ｄ，２６-２ｅ及び２６-２ｆに接続されている。
ここで分岐シャワー水通路５６-１，５６-２は、縦に配置された直管状の管体の内側に形成されており、何れも上下方向に直線状をなしている。
【００４３】
６４は給水を吐水管１６に導くための吐水管用通路で、この吐水管用通路６４上にも、これを開閉する開閉弁６６が設けられている。
開閉弁６６は上記のシャワー塔１２の最下位置のハンドル４４の操作によって開閉動作させられる。
【００４４】
混合弁５２からの給水をオーバーヘッドシャワー吐水部２２に供給するためのシャワー水通路５４からはまた、第２のシャワー水通路５６よりも下流部位で第１分岐通路６８が分岐させられており、更にその下流部位で第２分岐通路７０がシャワー水通路５４から分岐させられている。そして第１分岐通路６８の分岐部に通路切替用の切替弁７２が設けられている。
【００４５】
ここで切替弁７２は、シャワー水通路５４を遮断状態としてオーバーヘッドシャワー吐水部２２への給水を停止する状態（図２に示す状態）と、混合弁５２からの給水を第１分岐通路６８に供給する状態（図５に示す状態）と、更に混合弁５２からの給水をオーバーヘッドシャワー吐水部２２に供給する状態（図６に示す状態）との間で状態切り替えするもので、この切替弁７２は図１の最上位のハンドル３６の操作によって動作せしめられる。
【００４６】
ここで第２分岐通路７０は、オーバーヘッドシャワー吐水部２２及びそこへの給水用の主通路であるシャワー水通路５４内に残って冷水となった残水を排出するための通路である。
これら第１分岐通路６８と第２分岐通路７０とは、それぞれ先端側が冷水排出弁８２に接続されている。
【００４７】
冷水排出弁８２からは、第１分岐通路６８への給水を排出する第１排出通路７４と、第２分岐通路７０を通じて導かれた残水を排出するための第２排出通路７６が延び出している。
ここで第１排出通路７４は、上記吐水管用通路６４とともに下流側の共通通路７７に接続され、前記吐水管１６の吐水口（排出口）１４へと到っている。
ここで共通通路７７は、第１分岐通路６８への給水を排出する際には第１排出通路７４の一部となり、また吐水管１６から吐水を行うときには吐水管用通路６４の一部となる部分である。
【００４８】
この共通通路７７に対し、冷水排出弁８２から延び出した第２排出通路７６の先端が接続され、合流せしめられている。
図中８０はその第２排出通路７６と共通通路７７即ち第１排出通路７４との合流部を表し、また７８はその上流側の、第１排出通路７４と吐水管用通路６４との合流部を表している。
【００４９】
図３に上記の冷水排出弁８２の内部構造が具体的に示してある。
同図において８４は冷水排出弁８２のケーシングで、その内部に第１弁体８８と第２弁体８６とがそれぞれ開閉可能に設けられている。
ここで第２弁体８６は、弁座９０から図中上向きに離間することによって、即ち開動作することによって第２排出通路７６を開き、第２分岐通路７０からの残水を第２排出通路７６を通じて排出可能とする。
また弁座９０への着座即ち閉弁動作によって、第２排出通路７６を閉じ、その流れを遮断状態とする。
【００５０】
一方第１弁体８８は、弁座９２からの図中上向きの離間即ち開弁動作によって、第１排出通路７４を開き、第１分岐通路６８への給水を第１排出通路７４を通じて排出可能とする。
また弁座９２への着座即ち閉弁動作によって、第１排出通路７４を閉じ、第１分岐通路６８から第１排出通路７４への流れを遮断する。
【００５１】
ここで第１弁体８８はダイヤフラム弁体からなっていて、第１分岐通路６８の給水圧を受けるゴム等の弾性材で形成したダイヤフラム膜９４を有しており、そのダイヤフラム膜９４で第１分岐通路６８の給水圧を受けて図中上向きに開動作する。
上記第１弁体８８と第２弁体８６とは連結手段としての連結軸９６で互いに連結され、一体に上下移動即ち開閉動作するようになっている。
【００５２】
尚、図２に示しているように第２分岐通路７０は切替弁７２の下流部において常時シャワー水通路５４に連通した状態にあり、従ってオーバーヘッドシャワー吐水部２２からのシャワー吐水時に、シャワー水通路５４の給水圧が第２分岐通路７０に作用することから、第２弁体８６は閉弁状態で第２排出通路７６と第２分岐通路７０とを連通遮断すべく水密閉弁状態とする必要があるが、第１弁体８８は閉弁状態において必ずしも水密閉弁状態としておかなくても良い。
【００５３】
図３に示す冷水排出弁８２には、第２弁体８６の上側にこれを常時閉弁方向に付勢するコイルばね９７が設けられている。その付勢力は連結軸９６を介して第１弁体８８の閉弁方向の付勢力としても働いている。
【００５４】
この実施形態では、図２の共通通路７７への第２排出通路７６の合流部８０に、共通通路７７即ち第１排出通路７４を流通する排出水が第２排出通路７６側に逆流するのを防止する逆流防止機構９８（図４参照）が設けてある。
図４に示すようにこの逆流防止機構９８は、共通通路７７内の水を図中下向きに流通させる内管１００と、その外周側に合流口１０２に連通した環状の吸引通路１０４とを有している。
【００５５】
この逆流防止機構９８では、内管１００を図中下向きに流通する共通通路７７の排出水の流れによって、内管１００の周りの環状の吸引通路１０４及び合流口１０２に負圧を発生させ、その負圧の作用で、第２排出通路７６内の排出水を吸引して共通通路７７側の排出水に合流させ、吐水管１６へと送り込んでその吐水口（排出口）１４から外部に排出させる。
【００５６】
次に本実施形態の作用を以下に説明する。
図２は切替弁７２がシャワー水通路５４を遮断して、オーバーヘッドシャワー吐水部２２への給水を停止した状態にあり、この状態から図１に示す最上位のハンドル３６の操作によって、切替弁７２を図５に示す状態に切り替えると、混合弁５２からの給水が第１分岐通路６８へと導かれる。
すると図７に示しているように冷水排出弁８２の、ダイヤフラム弁体からなる第１弁体８８が第１分岐通路６８の給水圧を受けてコイルばね９７の付勢力に抗し図中上向きに開動作し、第１排出通路７４を開いた状態とする。
このとき第２弁体８６もまた連動して開動作し、第２排出通路７６を開いた状態とする。
【００５７】
従って混合弁５２よりも上流側の配管内冷水、詳しくは混合弁５２と給湯器との間の配管内冷水が、給水通路４６からの給水とともに第１排出通路７４を通じて吐水管１６の吐水口１４から外部に排出される。
また同時にシャワー水通路５４内部及びオーバーヘッドシャワー吐水部２２内部に残留していた冷水状態の残水が、第２排出通路７６を通じて吐水口１４から外部に排出される。
【００５８】
ここで切替弁７２を図５に示す状態として、混合弁５２からの給水を第１排出通路７４を通じて排出し、またシャワー水通路５４，オーバーヘッドシャワー吐水部２２内の残水を第２排出通路７６を通じて排出する際、第１排出通路７４側詳しくは共通通路７７側には給水圧が作用していて、共通通路７７内を給水が多量に且つ勢い良く流れることから、その一部が合流部８０で第２排出通路７６側に逆流する恐れが生ずるが（吐水管１６からの排出に際しそこで抵抗が働く）、この実施形態では合流部８０に逆流防止機構９８が設けてあるため、そうした不都合を生じることはない。
【００５９】
そして上流側の配管内に残留していた配管内冷水及びオーバーヘッドシャワー吐水部２２側、詳しくはシャワー水通路５４とオーバーヘッドシャワー吐水部２２内に残っていた残水が排出されたところで、切替弁７２を図６に示す状態、即ちオーバーヘッドシャワー吐水部２２側に給水を切り替えることで、吐水初期から混合弁５２で温調された所望温度の暖かい湯をオーバーヘッドシャワー吐水部２２からシャワー吐水させることができる。
【００６０】
尚、本例では切替弁７２が、図２に示す状態から図５に示す状態を経て、図６に示す状態へと切り替るようになしてあり、即ち切替弁７２が、シャワー水通路５４を連通状態としてオーバーヘッドシャワー吐水部２２からシャワー吐水させる状態に至る途中で、切替弁７２がシャワー水通路５４からの給水を第１分岐通路６８側に切り替える状態を通過することから、オーバーヘッドシャワー吐水部２２から送って冷水がシャワー吐水されてしまうのを有効に防止することができる。
【００６１】
以上はオーバーヘッドシャワー吐水部２２からシャワー吐水させる場合の作用であるが、切替弁７２を図２に示す状態としておいて、ハンドル３８の操作により開閉弁６０を開動作させると、混合弁５２からの給水がボデーシャワー吐水部２４の各シャワー口２６-１ａ〜２６-２ｆからシャワー吐水され、使用者はそれらシャワー口２６-１ａ〜２６-２ｆからのシャワー吐水を身体に浴びることができる。
【００６２】
また開閉弁６０を閉じた状態の下で、ハンドル４０を操作して開閉弁６２を開動作させることで、ハンドシャワー吐水部３０からシャワー吐水させることができる。
更にハンドル４４の操作により開閉弁６６を開動作させることで、吐水管１６の吐水口１４からカラン吐水させることができる。
【００６３】
尚この実施形態では、それらボデーシャワー吐水部２４，ハンドシャワー吐水部３０及び吐水管１６からの吐水に際して、初期冷水を排出する機構が設けてないが、オーバーヘッドシャワー吐水部２２からのシャワー吐水の場合と同様の冷水排出装置を、それらボデーシャワー吐水部２４，ハンドシャワー吐水部３０，吐水管１６からの吐水に際して適用することも可能である。
但しハンドシャワー吐水部３０及び吐水管１６からの吐水に際して初期に冷水が吐水される時間は短く且つそのことによる弊害は、オーバーヘッドシャワー吐水部２２からのシャワー吐水ほど大きくないので、そうした冷水排出装置を敢えて備えておかなくても特段の支障は生じない。
【００６４】
尤もボデーシャワー吐水部２４からの吐水については、オーバーヘッドシャワー吐水部２２からのシャワー吐水の場合と同様の問題を生じる可能性があるが、この例ではボデーシャワー吐水部２４側の分岐シャワー水通路５６-１，５６-２が縦に直線状をなしていて、内部の残水が最も下端のシャワー口２６-１ｆ，２６-２ｆから自動的に外部に排出されるため、ボデーシャワー吐水部２４側では冷水状態の残水が多く残るといったことはなく、吐水の比較的初期から温かい湯をシャワー吐水させることが可能である。
【００６５】
以上のような本実施形態によれば、混合弁５２よりも上流側の配管内に滞留している配管内冷水と、シャワー水通路５４内部及びオーバーヘッドシャワー吐水部２２内部に残った冷水状態の残水とを、第１分岐通路６８及び第１排出通路７４と、第２分岐通路７０及び第２排出通路７６とを通じて同時に排出することができ、特にオーバーヘッドシャワー吐水部２２側に残水が多量に残る本実施形態の吐水設備においても冷水を短時間で速やかに排出することができる。
これにより吐水部から短時間で所望の温調された湯を吐水開始することができ、使用者の待ち時間を短くすることができる。
【００６６】
また本実施形態では、シャワー水通路５４上に冷水排出弁を設けるのでなく、シャワー水通路５４から第１分岐通路６８と第２分岐通路７０とを分岐させて、それら分岐部の接続側に冷水排出弁８２を設け、そしてシャワー水通路５４上の切替弁７２による切替動作により冷水排出を行うようになしていることから、従来のように感温体を用いた複雑な切替機構を必要とせず、冷水排出装置の構造を簡素化し得、また所要コストを安価となすことができる。
更に本実施形態ではシャワー水通路５４上に冷水排出弁を設けていないため、シャワー水通路５４上でそこに設けた冷水排出弁により流れの抵抗が発生し、このことが吐水圧の低下に繋がる問題を回避することができる。
【００６７】
本実施形態ではまた、切替弁７２をオーバーヘッドシャワー吐水部２２側に切り替えることによって、オーバーヘッドシャワー吐水部２２側に供給される給水の水圧を冷水排出弁８２の第２弁体８６の閉弁方向の力として作用させることができる。
加えて冷水排出弁８２には第２弁体８６を第１弁体８８とともに閉弁方向に付勢するコイルばね９７が設けてあるため、給水をオーバーヘッドシャワー吐水部２２側に切り替えたときに第２弁体８６をより強い力で閉弁させることができる。
【００６８】
また本実施形態では第１弁体８８がダイヤフラム弁体となしてあるため、第１分岐通路６８に導かれた給水の圧力を効果的に第１弁体８８で受け、給水の圧力を第１弁体８８及び第２弁体８６の開弁方向の力として作用させることができる。
【００６９】
更に本実施形態では、逆流防止機構９８によって、第１排出通路７４側の排出水が、第１排出通路７４と第２排出通路７６との合流部で第２排出通路７６側に逆流するのを有効に防止することができ、且つ逆流防止機構９８を簡単な構造で安価に構成することができる。
【００７０】
以上本発明の実施形態を詳述したがこれはあくまで一例示であり、例えば本発明においては上記逆流防止機構を逆止弁となして、これを第１排出通路と第２排出通路との合流部、或いは第２排出通路７６の合流部より上流部位に設けておくといったことも可能である等、本発明はその趣旨を逸脱しない範囲において種々変更を加えた形態で構成可能である。
【図面の簡単な説明】
【００７１】
【図１】本発明の一実施形態である冷水排出装置を備えた吐水設備を示す正面図である。
【図２】同実施形態における配管経路を模式的に示した図である。
【図３】同実施形態における冷水排出弁の断面図である。
【図４】同実施形態における逆流防止機構を示した図である。
【図５】同実施形態の作用説明図である。
【図６】図５とは異なる作用状態の説明図である。
【図７】同実施形態における冷水排出弁の作用説明図である。
【図８】従来公知の冷水排出装置の一例を示した図である。
【図９】図８とは異なる従来公知の冷水排出装置を示した図である。
【図１０】図９の冷水排出装置の作用状態を表した図である。
【符号の説明】
【００７２】
２２  オーバーヘッドシャワー吐水部
５４  シャワー水通路（主通路）
６８  第1分岐通路
７０  第２分岐通路
７２  切替弁
７４  第１排出通路
７６  第２排出通路
８２  冷水排出弁
８６  第２弁体
８８  第１弁体
９４  ダイヤフラム膜
９６  連結軸
９７  コイルばね
９８  逆流防止機構
１０２  合流口
【図１】
2008307251.tif 000003
【図２】
2008307251.tif 000004
【図３】
2008307251.tif 000005
【図４】
2008307251.tif 000006
【図５】
2008307251.tif 000007
【図６】
2008307251.tif 000008
【図７】
2008307251.tif 000009
【図８】
2008307251.tif 000010
【図９】
2008307251.tif 000011
【図１０】
2008307251.tif 000012